(57)【特許請求の範囲】
【請求項１】
無線式の送信装置／受信装置のフロントエンドのためのモジュールにおいて、
第１の高周波の周波数領域の周波数のための第１のアンテナ（ＡＮ１）と、
前記第１のアンテナを第１のアンテナチューナ（ＡＴ１）と接続し、該第１のアンテナチューナを反射出力の測定のための第１の検出器（Ｄｅｔ１）と接続し、該検出器をアンテナスイッチ（ＳＥ）と接続する第１の信号経路（ＳＰ１）と、
第１の周波数領域に比べて低周波の第２の周波数領域の周波数のための第２のアンテナ（ＡＮ２）と、
前記第２のアンテナを第２のアンテナチューナ（ＡＴ２）と接続し、該第２のアンテナチューナを反射出力の測定のための第２の検出器（Ｄｅｔ２）と接続し、該検出器をアンテナスイッチ（ＳＥ）と接続する第２の信号経路（ＳＰ２）と、
前記検出器から供給される信号に依存して前記アンテナチューナを制御するための制御信号を生起するコントローラ（ＣＴ）とを有しており、
前記コントローラは、前記両方の検出器の信号を比較することで前記両方の信号経路の相互の絶縁を判定し、それに基づいて修正値を生起するコンパレータ（Ｋｏｍｐ）を追加的に備えており、
前記制御信号はアクティブな信号経路に配置されている検出器の信号と前記修正値との組み合わせにより形成されるモジュール。
【請求項２】
前記コンパレータ（Ｋｏｍｐ）は前記両方の信号経路（ＳＰ１，ＳＰ２）の相互の絶縁の閾値を下回っていることを表す目安として前記修正値を生起する、請求項１に記載のモジュール。
【請求項３】
別の信号経路および反射出力の測定のための別の検出器と接続された別のアンテナが設けられており、
前記コンパレータはアクティブな信号経路と別の信号経路との相互の絶縁に基づいて別の修正値を算出し、
第１の修正値および別の修正値と、アクティブな信号経路に配置された検出器の信号との組み合わせから、そのつどアクティブな信号経路のアンテナチューナに対する制御信号が生起される、請求項１または２に記載のモジュール。
【請求項４】
前記アンテナチューナ（ＡＴ）はそれぞれの信号経路（ＳＰ）と直列につながれた第１のキャパシタンスと信号経路と並列につながれた第２のキャパシタンスとを有しており、両方の前記キャパシタンスは制御信号に依存して変更可能である、請求項１から３のいずれか１項に記載のモジュール。
【請求項５】
前記アンテナチューナ（ＡＴ）は高品質の静的インダクタンスをさらに有している、請求項４に記載のモジュール。
【請求項６】
前記検出器（Ｄｅｔ）は方向性結合器として構成されている、請求項１から５のいずれか１項に記載のモジュール。
【請求項７】
前記コントローラ（ＣＴ）により生起される制御信号はＤＣ信号である、請求項１から６のいずれか１項に記載のモジュール。
【請求項８】
前記コントローラ（ＣＴ）は標準電圧を生成し、制御信号は前記標準電圧からの逸脱として生起され、
前記アンテナチューナ（ＡＴ）は制御インターバルを有しており、
前記アンテナチューナは前記標準電圧が印加されるときに制御インターバルの中央にある、請求項７に記載のモジュール。
【請求項９】
前記信号経路（ＳＰ１，ＳＰ２）のうちの１つは選択的に接続可能な追加フィルタ（ＺＦ）を有しており、
前記追加フィルタは、前記コントローラ（ＣＴ）により判定される当該信号経路と送信に利用されるアクティブな信号経路との間の相互の絶縁が閾値を下回ったときにだけ前記信号経路に接続される、請求項１から８のいずれか１項に記載のモジュール。
【請求項１０】
前記コントローラにより判定されるアクティブな信号経路とパッシブな信号経路との間の相互の絶縁が閾値を下回ると、前記コントローラ（ＣＴ）を通じて前記アクティブな信号経路（ＳＰ）の送信出力が低減される、請求項１から９のいずれか１項に記載のモジュール。
【請求項１１】
前記コントローラ（ＣＴ）により判定される送信動作時のアクティブな信号経路と信号経路との間の相互の絶縁が閾値を下回ると、前記信号経路（ＳＰ）がそれぞれの前記アンテナ（ＡＮ）から分断される、請求項１から１０のいずれか１項に記載のモジュール。
【発明の詳細な説明】
【背景技術】
【０００１】
移動通信の現代の端末機器では、アンテナのチューニングのためにアダプティブな整合回路が利用されることが増えてきている。このような整合回路を用いて、アンテナのインピーダンスに影響を及ぼす環境が変化したときでも、端末機器が常に最善のアンテナ整合を有することを保証することが意図されており、このようなアンテナ整合により、送信出力が節減されて受信品質が改善されることによって、端末機器の送受信動作が改善される。この目的のために、送信経路または混合型の送信／受信経路であるそれぞれの信号経路に、反射出力を判定するための検出器が接続される。
【０００２】
反射出力は不整合を表す目安となり、整合回路によって最低限に抑えることができ、また抑えることが意図される。この目的のために、検出器により判定される反射出力の値からコントローラを通じて制御信号が生成され、この制御信号によってアダプティブな整合ネットワークが調節される。移動無線のこのような端末機器で適用される公知のフロントモジュールでは、典型的な場合、メインアンテナでこのような検出器が適用され、それによってアダプティブな整合ネットワークとの接続によりアンテナだけでなく、送信装置／受信装置も変化する環境に合わせて整合する。
【発明の概要】
【発明が解決しようとする課題】
【０００３】
公知の整合回路における問題は、送信動作のときにしか反射出力を判定できないという点にある。しかし受信動作のときでも、反射されてはいるが測定可能でない出力が信号強度と信号品質の損失につながっている。このことは、アンテナチューナまたは相応の整合ネットワークを、厳密に言えば送信信号に合わせて整合することしかできないことを意味しており、それに対して受信動作の整合は、送信帯域（Ｔｘ帯域）とは異なる受信帯域（Ｒｘ帯域）で「ブラインド式に」、および特に事前設定されて保存された経験値を通じてしか行うことができない。
【０００４】
これに加えて反射出力の測定では、整合をどの方向で行うべきかに関する情報を得ることができない。そのため、特に制御信号を通じて誤った方向で「整合」が行われた場合、最善の整合を設定することが難しく、その結果、最終的には不整合が除去されないか、もしくは即座には除去されない。検出器およびこれと接続されたコントローラが反射出力に関して二次的な最小値しか見出さず、このような最小値を制御アルゴリズムでは克服することができず、そのために最善の整合値を逃してしまうという場合にも欠点が現れる。
【０００５】
そこで本発明の課題は、アクティブに使用されているアンテナの整合を改善することができるフロントモジュールを提供することにある。
【課題を解決するための手段】
【０００６】
この課題は本発明により、請求項１の構成要件を備えるモジュールによって解決される。本発明の好ましい実施形態はその他の請求項に記載されている。
【０００７】
本発明の根底にある思想は、２つのアンテナを備えるフロントエンドにおいて、第１のアンテナの監視に追加して、第１および第２のアンテナの間の絶縁も監視するというものである。これら両方のアンテナは、それぞれ異なる周波数領域用として設けられている。第１のアンテナは第１の高周波の周波数領域向けに設けられているのに対して、第２のアンテナは、第１の周波数領域に比べて低周波の第２の周波数領域向けに最適化されている。このとき第２の周波数領域は、第１の周波数領域よりもほぼ１オクターブ低くなっていてよい。
【０００８】
通常、第１のアンテナは１７００メガヘルツから始まる２ギガヘルツ領域用として設けられ、第２のアンテナは約７５０メガヘルツから始まる１ギガヘルツ領域用として設けられる。
【０００９】
整合が劣化していくにつれて、第１および第２のアンテナの間の絶縁も劣化していくことが見出されている。それに応じて本発明により、第１および第２のアンテナの間で、ないしそれぞれのアンテナと接続された第１および第２の信号経路の間で、絶縁およびこれに伴うクロストークが判定され、それに基づいて不整合を表す目安が導き出される。
【００１０】
第１の信号経路および第１のアンテナと接続された第１の検出器で第１の検出器により判定される反射出力の第１の測定値のほか、第２のアンテナと接続された第２の信号経路で第２の検出器により判定される第２の値を、コントローラに送ることができる。コントローラは、これら両方の情報に依存して制御信号を生起する。制御信号によってアンテナチューナが制御される。アンテナチューナの制御によって、第１のアンテナの整合が第１の信号経路に合わせて変更され、最適化される。このときコントローラは両方の検出器から情報を受けとって処理し、第１の測定値としては従来と同じく、第１の検出器による測定値が、第１のアンテナで反射される出力を表す目安として直接判定される。制御信号を生起するために利用される第２の値として、第１の検出器の信号が第２の検出器の信号とコンパレータによって比較され、それに基づいて絶縁を表す目安が得られ、修正値が生起される。そして制御信号は、アクティブな信号経路に配置された検出器の信号と、修正値との組み合せから形成される。
【００１１】
本発明によるモジュールは、両方の測定値を通じて不整合がより迅速かつ正確に認識されるので、そのつどアクティブなアンテナのより迅速で正確な整合が可能であるという利点がある。フロントモジュールは、通常、それぞれ信号経路とそこに配置された検出器とを備える２つのアンテナをすでに有しているので、公知のモジュールに比べても追加のハードウェアなしで本発明によるモジュールを製作することが可能である。追加の機能はコントローラのみによって生成することができ、そのためにコントローラは場合により１つの別のプログラミングを必要とするにすぎない。しかしながら、固定的な回線敷設によってコンパレータと配線を具体化することも可能である。
【００１２】
当然ながら、本発明によるモジュールを第２の低周波の周波数領域で第２のアンテナを介して作動させ、第２の検出器の信号を、両方の検出器の信号の比較により求められた修正値と組み合わせることも可能である。このようにして第２のアンテナも、これと配線された第２のアンテナチューナを制御することで、最善に整合することができる。
【００１３】
モジュールの１つの実施形態では、コンパレータは、両方の信号経路の相互の絶縁、すなわち両方のアンテナの相互の絶縁の閾値を下回っていることを表す目安となる修正値を生起するようにセットアップされている。絶縁が閾値を下回らない限り、発生器によって修正値は生成されない。この閾値は、フロントエンドおよび両方のアンテナにより実現可能な最善の絶縁に相当する値に設定することができる。すなわちその場合、この最適値から外れたときすでに修正値が算定される。しかしながら閾値をこれよりも低く設定して、不要な制御ループを回避することも可能である。
【００１４】
モジュールの別の実施形態ではさらに別のアンテナが設けられ、この別のアンテナは別の信号経路と接続されるとともに、当該アンテナで反射される出力を測定するためにこの信号経路に結合された検出器と接続されている。この別の検出器を通じて、別の修正値として、アクティブな信号経路ないしアクティブなアンテナとこの別のアンテナとの絶縁を判定して、いっそう改善された制御信号を生起するために利用することができる。３つの測定値により、制御信号をいっそう正確かつ良好に算定することができ、それによって整合をより正確かつ迅速に行うことができる。
【００１５】
制御信号によりアンテナチューナが制御され、そのために、その入力インピーダンスと出力インピーダンスが変更される。そのためにアンテナチューナは、１つの実施形態では、信号経路と直列につながれた第１のキャパシタンスと、信号経路と並列につながれた第２のキャパシタンスとをそれぞれ有しており、これら両者を制御信号に依存して変更可能である。そして整合は、第１および第２のキャパシタンスの比率が制御信号により変更されることによって行われる。これに加えてアンテナチューナは、たとえばコイルとして具体化される高品質の静的インダクタンスを有することができる。
【００１６】
変更可能なキャパシタンスは、バイアス電圧を用いてキャパシタンスに関して無段階に調節可能であるバラクタとして構成されていてよい。制御電圧およびそれにより引き起こされる静電力を通じてアクチュエータが動かされ、このアクチュエータがプレート間隔の変化によってコンデンサのキャパシタンスを段階的または連続的に制御するＭＥＭＳ素子（Ｍｉｃｒｏ  Ｅｌｅｃｔｒｏ  Ｍｅｃｈａｎｉｃａｌ  Ｓｙｓｔｅｍ）として、変更可能なキャパシタンスを施工することも可能である。変更可能なキャパシタンスを具体化するさらに別の選択肢は、制御信号に依存して、異なる個数の場合により異なるコンデンサが相互に配線され、そのようにして結果的に生じるキャパシタンス値を調整するコンデンサバンクを利用することにある。
【００１７】
検出器としては、伝送される信号または反射された信号の強度を信号回線で方向依存的に判定することができる、あらゆる検出器を使用することができる。しかしながら通常そのために用いられるのは、信号回線と並列に反対方向を向いて接続された２つの結合回線が配置され、これらの結合回線を介して出力結合される信号が、１つの方向に流れる出力を表す目安となる方向性結合器である。
【００１８】
この出力は対数計算器によって、測定された単位ｄＢの出力と出力電圧との間の線形の関係を生起する測定電圧に変換される。この信号がＡ／Ｄコンバータにより測定量としてコントローラへ供給される。
【００１９】
コントローラで生起される制御信号は、Ｄ／Ａコンバータにより生成されてから、たとえばそのまま制御電圧として利用されるＤＣ信号であるのが好ましい。
【００２０】
コントローラはすでに制御信号がないときから、アンテナチューナに印加される基本電圧を生成していると好ましい。そして生起されるべき制御信号は、たとえば高い電圧または低い電圧が生成されることによって、このような基本電圧からの逸脱として生成される。基本電圧は、最大の制御インターバルの中心に配置された整合値に合わせてアンテナチューナを調整する役目を果たす。このようにして、両方の方向への不整合を同じように修正することが可能である。アンテナチューナを両方の整合方向へ同じように、最大の値まで制御することができるからである。
【００２１】
本発明のモジュールにより、少なくともアンテナ環境のインピーダンスに影響を及ぼす限りにおいて、アンテナの環境に関する情報が判定される。
【００２２】
端末機器ないしモジュールの環境との容量性または誘導性の相互作用による影響を受けない第１の状態は、端末機器が自由な環境にあるときである。
【００２３】
これと異なる状態は、端末機器が利用者の近傍にあり、利用者によって手に取られたり、これに加えて頭に当てて保持されたときすでに生じる。さらに別の影響要因は、折り畳み式やスライド式の携帯電話において、相応に可動のモニタないし相応に可動のキーボードの相応の折畳みでの開閉およびスライドでの開閉によって生じる。アンテナのインピーダンス環境に対する最大の作用が生じるのは、金属面および特に金属板の近傍に端末機器があるときである。
【００２４】
本発明のモジュールにより、このような状態を検出し、以後の使用のために利用することが可能である。たとえば、携帯電話が利用者の頭に当たっているときに状態が検出されると、モジュールのアクティブな信号経路における送信出力を引き下げることが可能である。このようにして、強すぎる電磁放射によって利用者が障害を受ける危険を、低減された送信出力によって減らすことが可能である。このようにしてＳＡＲ値（単位Ｗａｔｔ／ｋｇで表した比吸収率に相当）が低減される。
【００２５】
さらに、アクティブな信号経路と、通常は受信だけに利用される別の信号経路との間の絶縁を判定することで、別の信号経路でさらなるフィルタリングが行われることによって、別の信号経路ないしこれを接続された最終段が損傷する危険を減らすことが可能である。
【００２６】
したがって１つの好ましい実施形態では、モジュールは１つの信号経路に接続可能な追加フィルタを有しており、この追加フィルタは、当該信号経路と送信に利用されるアクティブな信号経路とのコントローラにより判定される相互の絶縁が閾値を下回ったときにだけ接続される。そのようにして、突然発生してインピーダンスを大幅に変える極端な環境状態のときに、それによって引き起こされる強いクロストークにもかかわらず、アクティブな送信信号による他方の信号経路の最終段の損傷が回避されることが保証される。アクティブな信号経路の送信信号のクロストーク出力によるパッシブな信号経路での損傷を回避するさらに別の選択肢は、検出される絶縁が特定の閾値を下回ったときに、このパッシブな信号経路を、これと接続されているアンテナから切り離すことにある。それにより、パッシブな信号経路が強力なクロストークから確実に防護される。
【００２７】
次に、実施例と添付の図面を参照しながら本発明について詳しく説明する。
【図面の簡単な説明】
【００２８】
【図１】２つのアンテナおよびこれに付属するアンテナチューナと信号経路を有する、それ自体公知のモジュールである。
【図２】本発明によるモジュールを部分的に示す模式図である。
【図３】本発明によるモジュールをさらに別の回路ブロックとともに示す模式図である。
【図４】選択的に接続可能な追加フィルタを信号経路に備えるモジュールである。
【図５】切断可能な信号経路を備える本発明によるモジュールである。
【発明を実施するための形態】
【００２９】
図１は、２つのアンテナＡＮ１，ＡＮ２を有する無線式の送信装置／受信装置の端末機器のためのそれ自体公知のフロントモジュールを示している。各々のアンテナは、アンテナチューナＡＴ１ないしＡＴ２と接続されている。それぞれのアンテナチューナは、アンテナスイッチとして機能する切換ユニットＳＥと接続されており、これらの切換ユニットにより、それぞれの信号経路ＳＰ１，ＳＰ２に複数の異なるフィルタＦ１，Ｆ２，Ｆ３，Ｆ４を選択的に接続することができる。それぞれ異なるフィルタは、それぞれ１つの移動無線システムの周波数帯域に割り当てられている。図面では、フィルタＦはデュプレクサとして構成されており、相互に配線された送信フィルタおよび受信フィルタをそれぞれの移動無線システムのために有している。しかしながら、切換ユニットＳＥが移動無線システムの送信動作または受信動作のためにＴＤＤ動作で信号経路ＳＰを選択的にそのつど１つの個別フィルタと配線することも可能である。
【００３０】
反射出力を判定することができ、したがって、たとえば方向性結合器および対数計算器として構成された検出器ＤＥＴ１，ＤＥＴ２が、それぞれの信号経路に結合されている。検出器はコントローラＣＴと接続されており、コントローラは信号経路（たとえばＳＰ１）で検出された反射出力から不整合を判定し、それによってアンテナチューナＡＴ１を制御する。この公知の構造では、そのつど１つのアンテナだけが、ないしは１つの信号経路およびこれと接続された検出器だけがアクティブとなる。したがって公知のフロントモジュールはそのつどアクティブなアンテナだけを、当該アンテナで惹起される反射に基づいて整合する。整合が必要である理由は、たとえばアンテナとの誘導性および特に容量性の相互作用を生成するせいで周囲に対するインピーダンスを変化させる外部要因ＥＸが、アンテナＡＮに作用するからである。アンテナ整合を変化させる可能性のあるその他の相互作用は、第１および第２のアンテナＡＮ１／ＡＮ２の間の結合ＫＰである。
【００３１】
図２は、図１で述べたそれ自体公知のフロントモジュールをより迅速かつ正確なアンテナ整合に関して改良することができる、本発明による回路構成を部分的にのみ示している。
【００３２】
アクティブな送信動作／受信動作が、第１のアンテナＡＮ１および第１の信号経路ＳＰ１を介して行われるものと想定している。第１の信号経路ＳＰ１に結合された第１の検出器ＤＥＴ１は、第１の信号をコントローラＣＴへ供給する。新規なのは、コントローラＣＴが第１のアンテナの整合のために、第２の検出器の信号も援用することである。第２の検出器ＤＥＴ２の信号はコンパレータＫＯＭＰで第１の検出器ＤＥＴ１の信号と比較され、それにより、第１および第２のアンテナＡＮ１，ＡＮ２の間の劣化した絶縁を認識する。そのような劣化した絶縁が認識されると、コンパレータは修正信号を生起し、この修正信号が第１の検出器ＤＥＴ１の信号とともにミキサＭＩで、所定のアルゴリズムに従って処理されて制御信号ＳＳＴとなり、第１のアンテナチューナＡＴ１へと送られる。アンテナチューナは、整合ネットワークのインピーダンスを調整することができる、制御信号によって変更可能な少なくとも１つのコンポーネントを含む整合ネットワークを含んでいる。
【００３３】
本発明では、アクティブな送信経路に接続されている検出器の既知の測定値に加えて、第２のアンテナへの結合に関わる絶縁も修正信号ないし制御信号の生成のために援用されるので、アクティブな信号経路の検出器からの信号だけが利用される構造よりも、早期かつ確実に不整合を認識することができる。さらに、このような新規の回路構造を含む本発明のモジュールは、第１の整合ステップの完了後に、すなわちアンテナチューナＡＴの整合ネットワークのインピーダンスの初回の変更後に、実際の成果がより良く認識されるという利点を有している。すなわち、変更可能な整合ネットワークは基本的に２つの異なる方向で変更することが可能であり、整合ネットワークは容量式または誘導式のいずれかで構成される。それに応じてこのような変更は、アンテナの最善値すなわち最善のインピーダンス整合から離れていく方向へ行われることもあり得る。しかしそのような状態は、状況によっては、１つの検出器信号によっては認識することができない。「誤った」方向への整合も、一時的に低減される反射につながることがあり得るからである。第２の検出器を通じて判定される修正値を用いて、いっそう確実かつ迅速に、そのような誤った方向への整合を認識することができる。
【００３４】
修正信号を生起するときのコンパレータＫＯＭＰの作用形態は、次のように記述することができる。自由空間では、すなわち図１に記号で示す外部要因ＥＸの作用がないときには、両方のアンテナＡＮ１／ＡＮ２の間の絶縁はおよそ１０から１５ｄＢである。この絶縁は、たとえば第１の送信経路ＳＰ１での送信時に、わずかな信号だけが第２のアンテナＡＮ２を介して第２の信号経路に入力結合されるために十分である。コンパレータＫＯＭＰは、両方の検出器から供給される信号を比較することで、そのような入力結合される信号を認識する。その結果として求められる絶縁がコンパレータで閾値と比較され、この閾値は通常、許容される最善の絶縁のもっとも劣化した末端に位置しており、選択された本例ではおよそ１０ｄＢである。第１および第２のアンテナの間の絶縁がこれよりも低い値まで低下すると、修正信号が生起される。この閾値は、「不整合」がもはや最適化可能でなくなったにもかかわらず、最終的に改善を惹起することがあり得ないアンテナチューナに対して、修正信号およびこれに基づく制御信号が生起されることを防止する。それによって不要な制御コストが回避され、同様に、あらたな制御信号によって実現された最善の値から逸脱することによる不整合の増大も回避される。
【００３５】
図３は、本発明によるフロントモジュールの考えられる別の実施形態を示している。第１の回路ブロックＳＢ１と第２の回路ブロックＳＢ２が図示されており、これらは本発明の要部に属するものではないが、フロントモジュールをさらに発展させて構成する。第１の回路ブロックＳＢ１には、第１および第２の信号経路ＳＰ１，ＳＰ２がさらに向かう先が示されている。これは、すでに図１および同図で述べた公知のフロントモジュールを参照して説明した回路構造に実質的に相当している。切換ユニットＳＥは、信号経路ＳＰを任意の個数のフィルタ装置Ｆと接続することができる。各々のフィルタ装置は、独自の周波数帯域およびこれに伴って独自の移動無線システムに付属していてよい。フィルタ装置Ｆはそれぞれデュプレクサであってよく、または、送信経路もしくは受信経路のための２つの個別フィルタへと通じる２つの部分経路であってよい。第１の切換ユニットＳＥ１と接続されたフィルタ装置Ｆ１，Ｆ２の周波数領域は、ここでは一例として利用可能な周波数の上側領域に位置しており、すなわち通常は１７１０から２１７０メガヘルツに位置しており、これは２ギガヘルツ領域用のアンテナＡＮ１の仕様に呼応している。それに応じて第２の切換ユニットＳＥ２と接続されたフィルタ装置Ｆ３，Ｆ４は、これよりも下に位置する１メガヘルツ領域の「低周波の」周波数帯域用として設計されており、すなわち通常は８２４から９６０メガヘルツの間に位置する周波数帯域用として設計されている。
【００３６】
別の回路ブロックＳＢ２は、別の信号経路ＳＢ３，ＳＢ４，ＳＢ５およびＳＢ６と接続された別のアンテナである。本発明によると、この実施形態に基づくモジュールは少なくとも１つの別のアンテナおよびこれに接続された信号経路を含んでいる。この追加の信号経路の各々は、コントローラＣＴと接続された検出器と同じように接続されていてよい。追加のアンテナは、たとえば携帯型のＴＶ、ＷＬＡＮ、ブルートゥース用として設計されていてよく、あるいは、たとえばＲＸ信号だけのために（すなわち受信のために）利用されるダイバーシティアンテナであってよい。さらに、同じく独自の検出器によって他のアンテナないし送信経路／受信経路に対する絶縁に関して検査、監視することができる独自のアンテナを備えるＧＰＳシステムが、モジュールに組み込まれていてよい。
【００３７】
図４は、劣化の可能性がある２つのアンテナＡＮの間の絶縁に関して本発明により得られた情報が、信号経路ＳＰ１のうちの１つに追加フィルタＺＦを組み込むために利用される実施形態を示している。場合により別の閾値を下回ったときに認識される、２つのアンテナおよびこれに付属する信号経路の間で劣化した絶縁が認識されると、コントローラＣＴおよび２つの追加スイッチＳＺ１，ＳＺ２を介して、追加フィルタＺＦが信号経路ＳＰ１へつながれる。それにより一方では、隣接する信号経路への入力結合を起こりにくくする追加のフィルタリングが、高い出力の送信信号に施されることを惹起することができる。しかしながら、考察の時点で送信にも受信にも利用されていないパッシブな信号経路に追加フィルタＺＦをつなぐことも可能である。
【００３８】
パッシブな信号経路では、接続された追加フィルタＺＦは、たとえばＬＮＡのような感度の高い受信機への高すぎる出力の入力結合を防止することができる。その場合に追加フィルタは、（目下の）パッシブな信号経路の受信帯域に相当する通過帯域を有しており、または、隣接する信号経路の入力結合される周波数に対する遮蔽帯域を有する受信帯域を有している。このようなスイッチおよび追加フィルタは、第２の信号経路ＳＰ２および場合によりさらに別の信号経路へも追加的に組み込むこともできる。
【００３９】
図５には、劣化した絶縁およびそれに伴って隣接する送信経路ないしこれと接続されたアンテナからの高すぎる出力の入力結合が認識されたときに、受信装置の損傷を回避することができるさらに別の実施形態が示されている。パッシブな信号経路ＳＰ１で絶縁の値を下回ると、コントローラＣＴにより信号が経路スイッチＥＳに送られ、この経路スイッチが信号経路ＳＰ１を遮断する。このようにして、高すぎる出力の信号経路ＳＰ１への入力結合が、当該信号経路が全面的にアンテナから切断されることによって防止される。このような方式でも、入力結合される出力による損傷から感度の高い受信機を守ることができる。
【００４０】
第１の信号経路ＳＰ１についてのみ図示しているが、このようなスイッチは第２の信号経路ＳＰ２にも配置することができる。
【００４１】
本発明により、変化する環境状態に合わせたアンテナの改善された整合を実現することができる。整合が改善されれば、送信出力を引き下げることもできる。それにより本発明は、電磁放射源から人間の組織へ照射され、ないしはそこで吸収されるエネルギーを表す目安となるＳＡＲ値も改善し、最適化する。ＳＡＲ値の低減は、「携帯電話を頭に当てて電話中」の外部状態が認識されると送信出力が低減される、本発明に基づく別の実施形態を通じても実現することができる。この状態は、本発明に基づいて改善される不整合の認識によって認識される、きわめて特定の不整合で特徴づけることができる。
【産業上の利用可能性】
【００４２】
本発明について少数の実施例だけを用いて説明してきたが、本発明はこれらの実施例に限定されるものではない。アンテナと接続された信号経路の反射出力を、隣接する信号経路の劣化した絶縁に関する追加情報と組み合わせることも本発明の枠内にあり、この場合、監視されるべき信号経路ないし整合されるべき信号経路の種類と数は、任意に選択することができる。それに応じて本発明により、反射出力を判定する一次検出器に加えて、監視される追加の経路の数に対応する数の修正値を判定し、それによって整合をさらにいっそう改善することも可能である。さらには本発明から外れることなく、フロントモジュールをそれ自体公知の仕方でさらに発展させて構成することもできる。
【符号の説明】
【００４３】
ＡＮ１  第１のアンテナ
ＡＮ２  第２のアンテナ
ＡＴ１  第１のアンテナチューナ
ＡＴ２  第２のアンテナチューナ
ＣＴ  コントローラ
Ｄｅｔ１  第１の検出器（方向性結合器）
Ｄｅｔ２  第２の検出器
Ｅｘ  外部要因
Ｆ１，Ｆ２  フィルタ装置
Ｋｏｍｐ  コンパレータ
ＫＰ  結合
ＭＩ  ミキサ
ＰＳ  経路スイッチ
ＳＢ  回路ブロック
ＳＥ  アンテナスイッチ
ＳＰ１，ＳＰ２，ＳＰ  信号経路
ＳＳＴ  制御信号
ＳＺ  追加スイッチ
ＺＦ  追加フィルタ
【図１】
0005478713.tif 000002
【図２】
0005478713.tif 000003
【図３】
0005478713.tif 000004
【図４】
0005478713.tif 000005
【図５】
0005478713.tif 000006